【事件の表示】
　特許第５９７７３９６号発明「屋根用板金役物」の特許異議申立事件について、次のとおり決定する。
【結　論】
　特許第５９７７３９６号の明細書、特許請求の範囲を訂正請求書に添付された訂正明細書、特許請求の範囲のとおり、訂正後の請求項〔１、２、４−１０〕について訂正することを認める。
　特許第５９７７３９６号の請求項２ないし１０に係る特許を維持する。
　請求項１についての本件特許異議の申立てを却下する。
【理　由】
第１　手続の経緯
　特許第５９７７３９６号の請求項１ないし１０に係る特許（以下「本件特許」という。）についての出願は、平成２７年５月２１日（優先権主張　平成２６年５月２７日）に特許出願され、平成２８年７月２９日にその特許権の設定登録がされた。
　その後、その特許に対し、特許異議申立人中嶋守（以下「申立人」という。）により特許異議の申立てがなされ、平成２９年５月１７日付けで取消理由が通知され、その指定期間内である同年７月２０日付けで意見書の提出及び訂正の請求（以下「本件訂正請求」という。）がされたものである。
第２　訂正の適否についての判断
１　訂正内容
　本件訂正請求による訂正内容は、以下の（１）ないし（８）のとおりである。
（１）　訂正事項１
　特許請求の範囲の請求項１を削除する。
（２）　訂正事項２
　特許請求の範囲の請求項２に
「前記天面板材１１の下面に取り付ける止水箱２０を備え、
前記天面板材１１には、切り起こしにより形成された天面板用開口部１５を有し、
前記止水箱２０を、
少なくとも前記天面板用開口部１５の下方に配置される底面板材２１と、
前記底面板材の一端に立設される前面板材２２と、
前記底面板材の他端に立設される後面板材２３と、
前記前面板材の端部と前記後面板材の端部とを連接する側面板材２４とで構成し、
前記後面板材は、
前記前面板材と対向する立ち上げ板と、
前記立ち上げ板の端部から延出し、前記前面板材の方向に折り曲げて前記天面板材と当接する当接板と、
前記当接板の端部から延出し、前記底面板材の方向に折り曲げて前記立ち上げ板と対向する邪魔板と
で構成し、
前記前面板材には、前記天面板用開口部から進入して前記底面板材に溜まった雨水を流出させる通水孔を形成し、
前記立ち上げ板には、止水箱用開口部２３ｄを形成し、
前記天面板用開口部と前記止水箱用開口部とで、前記建造物の屋内と屋外との通気を行い、
前記邪魔板が、前記天面板用開口部と前記止水箱用開口部との間に位置することを特徴とする請求項１に記載の屋根用板金役物。」
と記載されているのを、
「
建造物の屋根頂部に設置する屋根用板金役物であって、
前記建造物の屋根面に配置される天面板材１１と、
前記建造物の壁面に配置される垂下板材１２と、
前記垂下板材１２と平行に配置される破風下地固定板材１３と、
前記垂下板材１２と前記破風下地固定板材１３とを連接する連接板材１４と、
前記破風下地固定板材１３を破風下地６に固定するビス又は釘等の固定手段とを備え、
前記連接板材１４の下方で、前記垂下板材１２と前記破風下地固定板材１３との間に破風板のみこみ部Ａを形成し、
前記天面板材１１と前記垂下板材１２との角度を前記屋根頂部の傾斜にあわせて変更でき、
前記破風板のみこみ部Ａに破風板７の上端部が配置され、
前記固定手段は、前記破風板７を固定せず、
前記天面板材１１の下面に取り付ける止水箱２０を備え、
前記天面板材１１には、切り起こしにより形成された天面板用開口部１５を有し、
前記止水箱２０を、
少なくとも前記天面板用開口部１５の下方に配置される底面板材２１と、
前記底面板材の一端に立設される前面板材２２と、
前記底面板材の他端に立設される後面板材２３と、
前記前面板材の端部と前記後面板材の端部とを連接する側面板材２４とで構成し、
前記後面板材は、
前記前面板材と対向する立ち上げ板と、
前記立ち上げ板の端部から延出し、前記前面板材の方向に折り曲げて前記天面板材と当接する当接板と、
前記当接板の端部から延出し、前記底面板材の方向に折り曲げて前記立ち上げ板と対向する邪魔板と
で構成し、
前記前面板材には、前記天面板用開口部から進入して前記底面板材に溜まった雨水を流出させる通水孔を形成し、
前記立ち上げ板には、止水箱用開口部２３ｄを形成し、
前記天面板用開口部と前記止水箱用開口部とで、前記建造物の屋内と屋外との通気を行い、
前記邪魔板が、前記天面板用開口部と前記止水箱用開口部との間に位置することを特徴とす
る屋
に訂正する。
（３）　訂正事項３
　特許請求の範囲の請求項８に
「前記垂下板材１２には、前記垂下板材１２の下端を前記建造物の前記壁面側に折り返した折り返し部を形成し、
前記破風板のみこみ部Ａは、前記破風下地固定板材１３と、前記連接板材１４と、前記連接板材１４を介して前記破風下地固定板材１３と平行に配置される垂下固定板材とからなる破風板のみ込み板材によって形成し、
前記破風板のみ込み板材は、前記垂下固定板材を前記折り返し部に差し込むことによって前記垂下板材と脱着自在に係止されることを特徴とする請求項１又は請求項２に記載の屋根用板金役物。」
と記載されているのを、
「
建造物の屋根頂部に設置する屋根用板金役物であって、
前記建造物の屋根面に配置される天面板材１１と、
前記建造物の壁面に配置される垂下板材１２と、
前記垂下板材１２と平行に配置される破風下地固定板材１３と、
前記垂下板材１２と前記破風下地固定板材１３とを連接する連接板材１４と、
前記破風下地固定板材１３を破風下地６に固定するビス又は釘等の固定手段とを備え、
前記連接板材１４の下方で、前記垂下板材１２と前記破風下地固定板材１３との間に破風板のみこみ部Ａを形成し、
前記天面板材１１と前記垂下板材１２との角度を前記屋根頂部の傾斜にあわせて変更でき、
前記破風板のみこみ部Ａに破風板７の上端部が配置され、
前記固定手段は、前記破風板７を固定せず、
前記垂下板材１２には、前記垂下板材１２の下端を前記建造物の前記壁面側に折り返した折り返し部を形成し、
前記破風板のみこみ部Ａは、前記破風下地固定板材１３と、前記連接板材１４と、前記連接板材１４を介して前記破風下地固定板材１３と平行に配置される垂下固定板材とからなる破風板のみ込み板材によって形成し、
前記破風板のみ込み板材は、前記垂下固定板材を前記折り返し部に差し込むことによって前記垂下板材と脱着自在に係止されることを特徴とす
る屋
に訂正する。
（４）　訂正事項４
　願書に添付した明細書の段落【０００６】に
「請求項１記載の本発明の屋根用板金役物は、建造物の屋根頂部に設置する屋根用板金役物であって、前記建造物の屋根面に配置される天面板材と、前記建造物の壁面に配置される垂下板材と、前記垂下板材と平行に配置される破風下地固定板材と、前記垂下板材と前記破風下地固定板材とを連接する連接板材と、前記破風下地固定板材を破風下地に固定するビス又は釘等の固定手段とを備え、前記連接板材の下方で、前記垂下板材と前記破風下地固定板材との間に破風板のみこみ部を形成し、前記天面板材と前記垂下板材との角度を前記屋根頂部の傾斜にあわせて変更でき、前記破風板のみこみ部に破風板の上端部が配置され、前記固定手段は、前記破風板を固定しないことを特徴とする。
　請求項２記載の本発明は、請求項１に記載の屋根用板金役物において、前記天面板材の下面に取り付ける止水箱を備え、前記天面板材には、切り起こしにより形成された天面板用開口部を有し、前記止水箱を、少なくとも前記天面板用開口部の下方に配置される底面板材と、前記底面板材の一端に立設される前面板材と、前記底面板材の他端に立設される後面板材と、前記前面板材の端部と前記後面板材の端部とを連接する側面板材とで構成し、前記後面板材は、前記前面板材と対向する立ち上げ板と、前記立ち上げ板の端部から延出し、前記前面板材の方向に折り曲げて前記天面板材と当接する当接板と、前記当接板の端部から延出し、前記底面板材の方向に折り曲げて前記立ち上げ板と対向する邪魔板とで構成し、前記前面板材には、前記天面板用開口部から進入して前記底面板材に溜まった雨水を流出させる通水孔を形成し、前記立ち上げ板には、止水箱用開口部を形成し、前記天面板用開口部と前記止水箱用開口部とで、前記建造物の屋内と屋外との通気を行い、前記邪魔板が、前記天面板用開口部と前記止水箱用開口部との間に位置することを特徴とする。
　請求項３記載の本発明の屋根用板金役物は、建造物の屋根面に配置される天面板材を有し、前記建造物の片流れ屋根頂部または下屋根頂部に設置する屋根用板金役物であって、前記天面板材の下面に取り付ける止水箱を備え、前記天面板材には、切り起こしにより形成された天面板用開口部を有し、前記止水箱を、少なくとも前記天面板用開口部の下方に配置される底面板材と、前記底面板材の一端に立設される前面板材と、前記底面板材の他端に立設される後面板材と、前記前面板材の端部と前記後面板材の端部とを連接する側面板材とで構成し、前記後面板材は、前記前面板材と対向する立ち上げ板と、前記立ち上げ板の端部から前記前面板材の方向に折り曲げられて前記天面板材と当接する当接板と、前記当接板の端部から前記底面板材の方向に折り曲げられて前記立ち上げ板と対向する邪魔板とで構成し、前記前面板材には、前記天面板用開口部から進入して前記底面板材に溜まった雨水を流出させる通水孔を形成し、前記立ち上げ板には、止水箱用開口部を形成し、前記天面板用開口部と前記止水箱用開口部とで、前記建造物の屋内と屋外との通気を行い、前記邪魔板が、前記天面板用開口部と前記止水箱用開口部との間に位置し、前記建造物に設置した状態で、前記止水箱の少なくとも一部が野地板の開口端部よりも棟側に位置し、前記野地板の前記開口端部に取り付ける捨水切を備え、前記捨水切を、前記野地板と屋根材との間に配置される捨水切取付板と、前記捨水切取付板の端部から立ち上げた捨水切立ち上げ板とで構成し、前記捨水切を前記野地板に設置した状態で、前記捨水切立ち上げ板の棟側の端部の高さが前記屋根面高さ以下であり、前記捨水切立ち上げ板の棟側の前記端部が前記止水箱の下方に位置することを特徴とする。
　請求項４記載の本発明は、請求項２又は請求項３に記載の屋根用板金役物において、前記天面板材と前記底面板材との寸法を一定に維持する支持材を設け、前記支持材が、前記天面板用開口部と前記止水箱用開口部との間に位置することを特徴とする。
　請求項５記載の本発明は、請求項２から請求項４のいずれかに記載の屋根用板金役物において、前記立ち上げ板に最も近い前記天面板用開口部の端部から、前記止水箱用開口部までの距離を３０ｍｍ〜９０ｍｍとしたことを特徴とする。
　請求項６記載の本発明は、請求項２に記載の屋根用板金役物において、野地板の開口端部に取り付ける捨水切を備え、前記捨水切を、前記野地板と屋根材との間に配置される捨水切取付板と、前記捨水切取付板の端部から立ち上げた捨水切立ち上げ板とで構成し、前記捨水切を前記野地板に設置した状態で、前記捨水切立ち上げ板の高さが前記屋根面高さ以下であることを特徴とする。
　請求項７記載の本発明は、請求項２に記載の屋根用板金役物において、前記建造物に設置した状態で、前記止水箱の少なくとも一部が野地板の開口端部よりも棟側に位置することを特徴とする。
　請求項８記載の本発明は、請求項１又は請求項２に記載の屋根用板金役物において、前記垂下板材には、前記垂下板材の下端を前記建造物の前記壁面側に折り返した折り返し部を形成し、前記破風板のみこみ部は、前記破風下地固定板材と、前記連接板材と、前記連接板材を介して前記破風下地固定板材と平行に配置される垂下固定板材とからなる破風板のみ込み板材によって形成し、前記破風板のみ込み板材は、前記垂下固定板材を前記折り返し部に差し込むことによって前記垂下板材と脱着自在に係止されることを特徴とする。
　請求項９記載の本発明は、請求項８に記載の屋根用板金役物において、前記破風板のみ込み板材は、前記垂下固定板材の上下方向の長さを、前記垂下板材の上下方向の長さよりも1ｍｍ〜５ｍｍ短くしたことを特徴とする。
　請求項１０記載の本発明は、請求項８又は請求項９に記載の屋根用板金役物において、前記破風板のみ込み板材は、前記垂下固定板材の左右方向の長さを、前記垂下板材の左右方向の長さよりも短くしたことを特徴とする。」
と記載されているのを、
「
請
明の
は
建造物の屋根頂部に設置する屋根用板金役物であって、前記建造物の屋根面に配置される天面板材と、前記建造物の壁面に配置される垂下板材と、前記垂下板材と平行に配置される破風下地固定板材と、前記垂下板材と前記破風下地固定板材とを連接する連接板材と、前記破風下地固定板材を破風下地に固定するビス又は釘等の固定手段とを備え、前記連接板材の下方で、前記垂下板材と前記破風下地固定板材との間に破風板のみこみ部を形成し、前記天面板材と前記垂下板材との角度を前記屋根頂部の傾斜にあわせて変更でき、前記破風板のみこみ部に破風板の上端部が配置され、前記固定手段は、前記破風板を固定せず、
　請求項３記載の本発明の屋根用板金役物は、建造物の屋根面に配置される天面板材を有し、前記建造物の片流れ屋根頂部または下屋根頂部に設置する屋根用板金役物であって、前記天面板材の下面に取り付ける止水箱を備え、前記天面板材には、切り起こしにより形成された天面板用開口部を有し、前記止水箱を、少なくとも前記天面板用開口部の下方に配置される底面板材と、前記底面板材の一端に立設される前面板材と、前記底面板材の他端に立設される後面板材と、前記前面板材の端部と前記後面板材の端部とを連接する側面板材とで構成し、前記後面板材は、前記前面板材と対向する立ち上げ板と、前記立ち上げ板の端部から前記前面板材の方向に折り曲げられて前記天面板材と当接する当接板と、前記当接板の端部から前記底面板材の方向に折り曲げられて前記立ち上げ板と対向する邪魔板とで構成し、前記前面板材には、前記天面板用開口部から進入して前記底面板材に溜まった雨水を流出させる通水孔を形成し、前記立ち上げ板には、止水箱用開口部を形成し、前記天面板用開口部と前記止水箱用開口部とで、前記建造物の屋内と屋外との通気を行い、前記邪魔板が、前記天面板用開口部と前記止水箱用開口部との間に位置し、前記建造物に設置した状態で、前記止水箱の少なくとも一部が野地板の開口端部よりも棟側に位置し、前記野地板の前記開口端部に取り付ける捨水切を備え、前記捨水切を、前記野地板と屋根材との間に配置される捨水切取付板と、前記捨水切取付板の端部から立ち上げた捨水切立ち上げ板とで構成し、前記捨水切を前記野地板に設置した状態で、前記捨水切立ち上げ板の棟側の端部の高さが前記屋根面高さ以下であり、前記捨水切立ち上げ板の棟側の前記端部が前記止水箱の下方に位置することを特徴とする。
　請求項４記載の本発明は、請求項２又は請求項３に記載の屋根用板金役物において、前記天面板材と前記底面板材との寸法を一定に維持する支持材を設け、前記支持材が、前記天面板用開口部と前記止水箱用開口部との間に位置することを特徴とする。
　請求項５記載の本発明は、請求項２から請求項４のいずれかに記載の屋根用板金役物において、前記立ち上げ板に最も近い前記天面板用開口部の端部から、前記止水箱用開口部までの距離を３０ｍｍ〜９０ｍｍとしたことを特徴とする。
　請求項６記載の本発明は、請求項２に記載の屋根用板金役物において、野地板の開口端部に取り付ける捨水切を備え、前記捨水切を、前記野地板と屋根材との間に配置される捨水切取付板と、前記捨水切取付板の端部から立ち上げた捨水切立ち上げ板とで構成し、前記捨水切を前記野地板に設置した状態で、前記捨水切立ち上げ板の高さが前記屋根面高さ以下であることを特徴とする。
　請求項７記載の本発明は、請求項２に記載の屋根用板金役物において、前記建造物に設置した状態で、前記止水箱の少なくとも一部が野地板の開口端部よりも棟側に位置することを特徴とする。
　請求項８記載の本発
明の
は
建造物の屋根頂部に設置する屋根用板金役物であって、前記建造物の屋根面に配置される天面板材と、前記建造物の壁面に配置される垂下板材と、前記垂下板材と平行に配置される破風下地固定板材と、前記垂下板材と前記破風下地固定板材とを連接する連接板材と、前記破風下地固定板材を破風下地に固定するビス又は釘等の固定手段とを備え、前記連接板材の下方で、前記垂下板材と前記破風下地固定板材との間に破風板のみこみ部を形成し、前記天面板材と前記垂下板材との角度を前記屋根頂部の傾斜にあわせて変更でき、前記破風板のみこみ部に破風板の上端部が配置され、前記固定手段は、前記破風板を固定せず、
　請求項９記載の本発明は、請求項８に記載の屋根用板金役物において、前記破風板のみ込み板材は、前記垂下固定板材の上下方向の長さを、前記垂下板材の上下方向の長さよりも1ｍｍ〜５ｍｍ短くしたことを特徴とする。
　請求項１０記載の本発明は、請求項８又は請求項９に記載の屋根用板金役物において、前記破風板のみ込み板材は、前記垂下固定板材の左右方向の長さを、前記垂下板材の左右方向の長さよりも短くしたことを特徴とする。」
に訂正する。
（５）　訂正事項５
　願書に添付した明細書の段落【０００９】を削除する。
（６）　訂正事項６
　願書に添付した明細書の段落【００１０】に
「本発明の第２の実施の形態は、第１の実施の形態による屋根用板金役物において、天面板材の下面に取り付ける止水箱を備え、天面板材には、切り起こしにより形成された天面板用開口部を有し、止水箱を、少なくとも天面板用開口部の下方に配置される底面板材と、底面板材の一端に立設される前面板材と、底面板材の他端に立設される後面板材と、前面板材の端部と後面板材の端部とを連接する側面板材とで構成し、後面板材は、前面板材と対向する立ち上げ板と、立ち上げ板の端部から延出し、前面板材の方向に折り曲げて天面板材と当接する当接板と、当接板の端部から延出し、底面板材の方向に折り曲げて立ち上げ板と対向する邪魔板とで構成し、前面板材には、天面板用開口部から進入して底面板材に溜まった雨水を流出させる通水孔を形成し、立ち上げ板には、止水箱用開口部を形成し、天面板用開口部と止水箱用開口部とで、建造物の屋内と屋外との通気を行い、邪魔板が、天面板用開口部と止水箱用開口部との間に位置するものである。本実施の形態によれば、天面板用開口部と止水箱用開口部との間に位置する邪魔板によって、止水箱の防水性能を高めることができる。」
と記載されているのを、
「本発明の第２の実施の形
態に
は
建造物の屋根頂部に設置する屋根用板金役物であって、建造物の屋根面に配置される天面板材と、建造物の壁面に配置される垂下板材と、垂下板材と平行に配置される破風下地固定板材と、垂下板材と破風下地固定板材とを連接する連接板材と、破風下地固定板材を破風下地に固定するビス又は釘等の固定手段とを備え、連接板材の下方で、垂下板材と破風下地固定板材との間に破風板のみこみ部を形成し、天面板材と垂下板材との角度を屋根頂部の傾斜にあわせて変更でき、破風板のみこみ部に破風板の上端部が配置され、固定手段は、破風板を固定せず、
本実施の形態によれば、破風板のみこみ部を設けることで、施工時に破風板の厚みを確保するための調整笠木を用いることなく、施工を完了することができる。また、破風板のみこみ部で破風板の位置決めができるため施工性が向上する。また、屋根頂部が急勾配である建造物にあっては、屋根頂部が緩勾配である建造物と比較して垂下板材を長くしなければならず、意匠面では、垂下板材が短い方が好まれるため、屋根頂部の勾配に対応して異なる長さの垂下板材としなければならなかったが、本実施の形態によれば、破風下地固定板材を破風下地に固定するため、屋根頂部が急勾配である建造物に対しても短い垂下板材で対応でき、その結果として屋根頂部の勾配に対応した長さの垂下板材を揃える必要が無い。また、
に訂正する。
（７）　訂正事項７
　願書に添付した明細書の段落【００１６】に
「本発明の第８の実施の形態は、第１又は第２の実施の形態による屋根用板金役物において、垂下板材には、垂下板材の下端を建造物の壁面側に折り返した折り返し部を形成し、破風板のみこみ部は、破風下地固定板材と、連接板材と、連接板材を介して破風下地固定板材と平行に配置される垂下固定板材とからなる破風板のみ込み板材によって形成し、破風板のみ込み板材は、垂下固定板材を折り返し部に差し込むことによって垂下板材と脱着自在に係止されるものである。本実施の形態によれば、天面板材や垂下板材などの建造物に配置する部材と破風板のみ込み板材とを分けて構成するので、一体構成の場合と比べて製作が容易であり、製造過程や輸送（梱包）において同一部材を重ねた場合の所要スペースを小さくすることができる。」
と記載されているのを、
「本発明の第８の実施の形
態に
は
建造物の屋根頂部に設置する屋根用板金役物であって、建造物の屋根面に配置される天面板材と、建造物の壁面に配置される垂下板材と、垂下板材と平行に配置される破風下地固定板材と、垂下板材と破風下地固定板材とを連接する連接板材と、破風下地固定板材を破風下地に固定するビス又は釘等の固定手段とを備え、連接板材の下方で、垂下板材と破風下地固定板材との間に破風板のみこみ部を形成し、天面板材と垂下板材との角度を屋根頂部の傾斜にあわせて変更でき、破風板のみこみ部に破風板の上端部が配置され、固定手段は、破風板を固定せず、
本実施の形態によれば、破風板のみこみ部を設けることで、施工時に破風板の厚みを確保するための調整笠木を用いることなく、施工を完了することができる。また、破風板のみこみ部で破風板の位置決めができるため施工性が向上する。また、屋根頂部が急勾配である建造物にあっては、屋根頂部が緩勾配である建造物と比較して垂下板材を長くしなければならず、意匠面では、垂下板材が短い方が好まれるため、屋根頂部の勾配に対応して異なる長さの垂下板材としなければならなかったが、本実施の形態によれば、破風下地固定板材を破風下地に固定するため、屋根頂部が急勾配である建造物に対しても短い垂下板材で対応でき、その結果として屋根頂部の勾配に対応した長さの垂下板材を揃える必要が無い。また、
に訂正する。
２　訂正の適否
（１）　訂正事項１について
　訂正事項１は、請求項を削除するものであるから、特許請求の範囲の減縮を目的とする訂正であり、新規事項の追加に該当せず、実質上特許請求の範囲を拡張し、又は変更するものでもない。
（２）　訂正事項２、３について
　訂正事項２、３は、訂正事項１による請求項の削除に伴った、他の請求項の記載を引用する請求項の記載を当該他の請求項の記載を引用しないものとすることを目的とする訂正であり、新規事項の追加に該当せず、実質上特許請求の範囲を拡張し、又は変更するものでもない。
（２）　訂正事項４ないし７について
　訂正事項４ないし７は、明細書の記載を訂正事項１ないし３の内容に整合させるものであるから、明瞭でない記載の釈明を目的とする訂正であり、新規事項の追加に該当せず、実質上特許請求の範囲を拡張し、又は変更するものでもない。
（３）　一群の請求項について
　本件訂正請求は、「請求の趣旨」、及び「訂正の理由」の「一群の請求項についての説明」に記載されているとおり、一群の請求項である請求項［１、２、４〜１０］について訂正することを求めるものである。
（４）　小括
　以上のとおりであるから、本件訂正請求による訂正は特許法第１２０条の５第２項ただし書第１号、第３号及び第４号に掲げる事項を目的とするものであり、かつ、同条第４項、及び、同条第９項において準用する特許法第１２６条第４項ないし第６項の規定に適合する。
　よって、本件訂正請求による訂正を認める。
第３　特許異議の申立てについて
１　本件特許の請求項１ないし１０に係る発明
　上記第２のとおり本件訂正請求による訂正は認められるから、本件特許の請求項１ないし１０に係る発明は、訂正された特許請求の範囲の請求項１ないし１０に記載された事項により特定される次のとおりのものである（以下「本件訂正発明２、４〜１０」あるいは「本件発明３」という。）。
「　【請求項１】
（削除）
　　【請求項２】
　
建造物の屋根頂部に設置する屋根用板金役物であって、
前記建造物の屋根面に配置される天面板材１１と、
前記建造物の壁面に配置される垂下板材１２と、
前記垂下板材１２と平行に配置される破風下地固定板材１３と、
前記垂下板材１２と前記破風下地固定板材１３とを連接する連接板材１４と、
前記破風下地固定板材１３を破風下地６に固定するビス又は釘等の固定手段とを備え、
前記連接板材１４の下方で、前記垂下板材１２と前記破風下地固定板材１３との間に破風板のみこみ部Ａを形成し、
前記天面板材１１と前記垂下板材１２との角度を前記屋根頂部の傾斜にあわせて変更でき、
前記破風板のみこみ部Ａに破風板７の上端部が配置され、
前記固定手段は、前記破風板７を固定せず、
前記天面板材１１の下面に取り付ける止水箱２０を備え、
前記天面板材１１には、切り起こしにより形成された天面板用開口部１５を有し、
前記止水箱２０を、
少なくとも前記天面板用開口部１５の下方に配置される底面板材２１と、
前記底面板材の一端に立設される前面板材２２と、
前記底面板材の他端に立設される後面板材２３と、
前記前面板材の端部と前記後面板材の端部とを連接する側面板材２４とで構成し、
前記後面板材は、
前記前面板材と対向する立ち上げ板と、
前記立ち上げ板の端部から延出し、前記前面板材の方向に折り曲げて前記天面板材と当接する当接板と、
前記当接板の端部から延出し、前記底面板材の方向に折り曲げて前記立ち上げ板と対向する邪魔板と
で構成し、
前記前面板材には、前記天面板用開口部から進入して前記底面板材に溜まった雨水を流出させる通水孔を形成し、
前記立ち上げ板には、止水箱用開口部２３ｄを形成し、
前記天面板用開口部と前記止水箱用開口部とで、前記建造物の屋内と屋外との通気を行い、
前記邪魔板が、前記天面板用開口部と前記止水箱用開口部との間に位置することを特徴とす
る屋
　　【請求項３】
　建造物の屋根面に配置される天面板材１１を有し、前記建造物の片流れ屋根頂部または下屋根頂部に設置する屋根用板金役物であって、
前記天面板材１１の下面に取り付ける止水箱２０を備え、
前記天面板材１１には、切り起こしにより形成された天面板用開口部１５を有し、
前記止水箱２０を、
少なくとも前記天面板用開口部の下方に配置される底面板材２１と、
前記底面板材の一端に立設される前面板材と、
前記底面板材の他端に立設される後面板材と、
前記前面板材の端部と前記後面板材の端部とを連接する側面板材と
で構成し、
前記後面板材は、
前記前面板材と対向する立ち上げ板と、
前記立ち上げ板の端部から前記前面板材の方向に折り曲げられて前記天面板材と当接する当接板と、
前記当接板の端部から前記底面板材の方向に折り曲げられて前記立ち上げ板と対向する邪魔板と
で構成し、
前記前面板材には、前記天面板用開口部から進入して前記底面板材に溜まった雨水を流出させる通水孔を形成し、
前記立ち上げ板には、止水箱用開口部を形成し、
前記天面板用開口部と前記止水箱用開口部とで、前記建造物の屋内と屋外との通気を行い、
前記邪魔板が、前記天面板用開口部と前記止水箱用開口部との間に位置し、
前記建造物に設置した状態で、前記止水箱２０の少なくとも一部が野地板の開口端部４ａよりも棟側に位置し、
前記野地板の前記開口端部４ａに取り付ける捨水切３０を備え、
前記捨水切を、
前記野地板と屋根材との間に配置される捨水切取付板３１と、
前記捨水切取付板３１の端部から立ち上げた捨水切立ち上げ板３２とで構成し、
前記捨水切３０を前記野地板に設置した状態で、前記捨水切立ち上げ板３２の棟側の端部の高さが前記屋根面高さ以下であり、前記捨水切立ち上げ板３２の棟側の前記端部が前記止水箱２０の下方に位置することを特徴とする屋根用板金役物。
　　【請求項４】
　前記天面板材と前記底面板材との寸法を一定に維持する支持材２５を設け、
前記支持材２５が、前記天面板用開口部と前記止水箱用開口部との間に位置することを特徴とする請求項２又は請求項３に記載の屋根用板金役物。
　　【請求項５】
　前記立ち上げ板に最も近い前記天面板用開口部の端部から、前記止水箱用開口部までの距離を３０ｍｍ〜９０ｍｍとしたことを特徴とする請求項２から請求項４のいずれかに記載の屋根用板金役物。
　　【請求項６】
　野地板の開口端部に取り付ける捨水切３０を備え、
前記捨水切を、
前記野地板と屋根材との間に配置される捨水切取付板３１と、
前記捨水切取付板の端部から立ち上げた捨水切立ち上げ板３２と
で構成し、
前記捨水切３０を前記野地板に設置した状態で、前記捨水切立ち上げ板の高さが前記屋根面高さ以下であることを特徴とする請求項２に記載の屋根用板金役物。
　　【請求項７】
　前記建造物に設置した状態で、前記止水箱の少なくとも一部が野地板の開口端部４ａよりも棟側に位置することを特徴とする請求項２に記載の屋根用板金役物。
　　【請求項８】
　
建造物の屋根頂部に設置する屋根用板金役物であって、
前記建造物の屋根面に配置される天面板材１１と、
前記建造物の壁面に配置される垂下板材１２と、
前記垂下板材１２と平行に配置される破風下地固定板材１３と、
前記垂下板材１２と前記破風下地固定板材１３とを連接する連接板材１４と、
前記破風下地固定板材１３を破風下地６に固定するビス又は釘等の固定手段とを備え、
前記連接板材１４の下方で、前記垂下板材１２と前記破風下地固定板材１３との間に破風板のみこみ部Ａを形成し、
前記天面板材１１と前記垂下板材１２との角度を前記屋根頂部の傾斜にあわせて変更でき、
前記破風板のみこみ部Ａに破風板７の上端部が配置され、
前記固定手段は、前記破風板７を固定せず、
前記垂下板材１２には、前記垂下板材１２の下端を前記建造物の前記壁面側に折り返した折り返し部を形成し、
前記破風板のみこみ部Ａは、前記破風下地固定板材１３と、前記連接板材１４と、前記連接板材１４を介して前記破風下地固定板材１３と平行に配置される垂下固定板材とからなる破風板のみ込み板材によって形成し、
前記破風板のみ込み板材は、前記垂下固定板材を前記折り返し部に差し込むことによって前記垂下板材と脱着自在に係止されることを特徴とす
る屋
　　【請求項９】
　前記破風板のみ込み板材は、前記垂下固定板材の上下方向の長さを、前記垂下板材１２の上下方向の長さよりも1ｍｍ〜５ｍｍ短くしたことを特徴とする請求項８に記載の屋根用板金役物。
　　【請求項１０】
　前記破風板のみ込み板材は、前記垂下固定板材の左右方向の長さを、前記垂下板材１２の左右方向の長さよりも短くしたことを特徴とする請求項８又は請求項９に記載の屋根用板金役物。」
２　取消理由の概要
　訂正前の請求項１に係る特許に対して平成２９年５月１７日付けで特許権者に通知した取消理由の概要は次のとおりである。
　本件特許の請求項１に係る発明は、本件特許の出願の日前に出願された他の特許出願（甲第１号証：特願２０１３−３７３０２号（特開２０１４−１６３１８５号））の当初明細書等に記載された発明と同一である。
　したがって、本件請求項１に係る特許は、特許法第２９条の２の規定に違反してされたものである。 
３　取消理由についての判断
　本件訂正請求による訂正により請求項１は削除されたので、上記２の取消理由は解消された。
４　取消理由通知において採用しなかった異議申立理由について
（１）取消理由通知において採用しなかった異議申立理由の概要
　取消理由通知において採用しなかった異議申立理由の概要は以下のとおりである（異議申立書第３３頁１２行〜３４頁１３行参照。）。
　ア　特許法第２９条第１項第３号（新規性欠如）（同法第１１３条第２号）
　本件請求項１に係る発明は、甲第２号証に記載されているに等しいものである。
　イ　特許法第２９条第２項（進歩性欠如）（同法第１１３条第２号）
　本件請求項１に係る発明は、甲第２号証記載の発明及び甲第３号証（周知技術）に基づいて、当業者が容易に発明をすることができたものである。
　本件請求項２に係る発明は、甲第２号証記載の発明、甲第３号証（周知技術）、甲第４号証、甲第５号証（周知技術）、甲第６号証（周知技術）、甲第７号証（周知技術）に基づいて、当業者が容易に発明をすることができたものである。
　本件請求項３に係る発明は、甲第６号証記載の発明、甲第４号証、甲第５号証（周知技術）、甲第７号証（周知技術）に基づいて、当業者が容易に発明をすることができたものである。
　本件請求項４ないし１０に係る発明は、甲第２号証記載の発明、甲第３号証（周知技術）、甲第４号証、甲第５号証（周知技術）、甲第６号証（周知技術）、甲第７号証（周知技術）に基づいて、当業者が容易に発明をすることができたものである。
　ウ　特許法第３６条第６項第１号（サポート要件違反）（同法第１１３条第４号）
「本件特許発明１の構成要件Ａ５（決定注；「前記垂下板材１２と前記破風下地固定板材１３とを連接する連接板材１４と、」という構成要件。）では、「連接板材１４」は”前記垂下板材１２と前記破風下地固定板材１３とを連接する”旨が規定されている。
　又、構成要件Ａ７（決定注；「前記連接板材１４の下方で、前記垂下板材１２と前記破風下地固定板材１３との間に破風板のみこみ部Ａを形成し、」という構成要件。）では、「破風板のみこみ部Ａ」は、”前記連接板材１４の下方で、前記垂下板材１２と前記破風下地固定板材１３との間に”形成される旨が規定されている。
　一方で、本件明細書の段落【００２５】には、”破風板７は、破風板のみこみ部Ａに上端部を挿入して設置される。”
　そうすると、構成要件Ａ５では、連接板材１４は、垂下板材１２のどの部分に対して連接するものかは規定されていないから、連接板材１４が、垂下板材１２の下端と、破風下地固定板材１３とを連接するものであった場合、明細書の段落【００２５】に記載されているような破風板７の挿入は不可能であると考える。
　本件特許明細書の段落【０００７】に記載の”破風板のみこみ部で破風板の位置決めができるため施工性が向上する。”旨の効果は、破風板７の挿入による位置決めのことを前提としていると考えられるから、連接板材１４が、垂下板材１２の下端と、破風下地固定板材１３とを連接するものであった場合には、上記効果を奏することができない。
　よって、本件特許発明１には、本件特許明細書の詳細な説明に記載された、発明の課題を解決するための手段が反映されていないため、サポート要件を満たしていない。
　又、本件特許発明１を直接的又は間接的に引用する本件特許発明２、４〜１０についても同様に、サポート要件を満たしていない。」（異議申立書３１頁２２行から３２頁１５行）
　エ　特許法第３６条第６項第２号（明確性要件違反）（同法第１１３条第４号）
「本件特許発明１の構成要件Ａ７は、以下の点で不明確である。
イ　「破風板のみこみ部」は、上述したとおり、連接板材１４が、垂下板材１２の下端と、破風下地固定板材１３とを連接するものであった場合、どのようにして何らかの部材を”のみこむ”かが不明であり、その発明特定事項の技術的意味を理解することができない。
ロ　「破風板のみこみ部」は、屋根回りの部材を指す用語としては一般的でないため、当業者が、その発明特定事項の技術的意味を理解することができない。又、本件特許明細書を参酌しても、その”のみこみ”の程度については記載がなく、どの程度の”のみこみ”が必要であるかも不明確である。例えば、段落【００３３】程度には、”折り返し部４０の上下方向の長さαは、垂下板材１２の外側面の上下方向の長さβの約１０〜２０％である。”や、”垂下固定板材５１の上下方向の長さγは、垂下板材１２の外側面の上下方向の長さβよりも１ｍｍ〜５ｍｍ程度短くすることが好ましく、その範囲の中でも約２ｍｍが最も好ましい。”という記載はあるが、長さγの具体的寸法については言及はない。
　以上より、請求項の記載から本件特許発明１を明確に把握することができない。又、本件特許発明１を直接的又は間接的に引用する本件特許発明２、４〜１０についても本件特許発明１と同様、明確に把握することができない。」（異議申立書３２頁１７行から３３頁７行）
［申立人が提示した証拠］
甲第２号証：特開２００８−８１９６８号公報
甲第３号証：特開２０１１−２５２３６１号公報
甲第４号証：特開２０００−３４５６６９号公報
甲第５号証：特開２００４−１９０４０１号公報
甲第６号証：特開２００１−３０３７３２号公報
甲第７号証：特開２００５−３０７６１５号公報
（２）　甲第２、６号証に記載された発明
　ア　甲第２号証
　甲第２号証には、以下の発明が記載されている。
「建物本体２を構成する壁パネル２の上端部に、片流れ屋根１を構成する屋根パネル３が設置され、
　壁パネル２には、この壁パネル２の表面を覆う外装材２０が取り付けられ、
　壁パネル２の上端部には、この壁パネル２と屋根パネル３との間に、屋根パネル３の角度を調整する角度調整材２１が設けられ、屋根パネル３は、角度調整材２１と同様の角度で屋根パネル３を壁パネル２に固定する屋根固定部材３４によって、壁パネル２に固定され、
  屋根パネル３の端部を、壁パネル２の上端部に設置し、外装材２０の表面よりも若干突出する棟部１０を有する、
　片流れ屋根１が設けられた建物Ａにおける、
　棟部１０を包み込む棟包み５であって、
　棟包み５は、壁パネル２の上端部に固定され、
　外装材２０に沿って垂下する板状部材６１を備える第１金具６と、
　第１金具６と接続され、棟部１０の端面に当接固定されて外装材２０の上端部まで垂下する垂下部７０を有する第２金具７と、
　第２金具７と接続されるとともに屋根面に固定され、棟部１０の頂部を覆うようにして下方に屈曲する第３金具８とからなり、
　第２金具７は、この第２金具７によって第１金具６を覆うようにして設けられ、第３金具８は、この第３金具８によって第２金具７の上端部を覆うようにして設けられ、
　第１金具６と外装材２０との間には、壁パネル２と外装材２０との間に雨水が浸入することを防ぐ水密材２３が設けられ、
　第１金具６の上端部分、及び板状部材６１は、壁パネル２と外装材２０との間に形成された隙間と同様の厚さ寸法を有する水平板材２２を介して角度調整材２１に固定され、かつ該固定は外装材２０を固定するものではない、
　棟包み５。」
　イ　甲第６号証
　甲第６号証には、申立人の主張のとおり、以下の発明が記載されている（異議申立書２５頁２１行から２６頁４行、２８頁２７から２８行）。
「建造物の屋根面に配置される傾斜部（５）を有し、前記建造物の片流れ屋根頂部に設置する屋根用板金役物であって、
前記傾斜部（５）の下面に取り付ける水切り板（２）を備え、
前記建造物に設置した状態で、前記水切り板（２）の一部が野地板の開口部（１０）よりも棟側に位置し、
前記野地板の開口端部に取り付ける捨て水切り板（２２）を備え、
前記捨て水切り板（２２）を、
前記野地板と屋根材との間に配置される傾斜部（２４）と、
前記傾斜部（２４）の端部から立ち上げた立ち上がり部（２３）とで構成し、
前記立ち上がり部（２３）の棟側の端部の高さが屋根面高さ以上であり、立ち上がり部（２３）の棟側の前記端部が前記水切り板（２）の上方に位置する、屋根用板金役物。」
（３）　当審の判断
　ア　請求項１に係る特許異議申立てについて
　申立人は、請求項１に係る本件特許は、上記（１）の理由で、取り消されるべきものであると主張する。
　しかしながら、上記第２のとおり、請求項１を削除する本件訂正が認められたので、請求項１についての本件特許異議申立ては、その対象が存在しないものとなった。
　したがって、請求項１についての本件特許異議申立ては、不適法な特許異議申立てであるから、特許法第１２０条の８第１項で準用する同法第１３５条の規定によって却下すべきものである。
　イ　特許法第２９条第２項（進歩性欠如）（同法第１１３条第２号）について
（ア）　本件訂正発明２について
　ａ　対比・検討
　本件訂正発明２と上記（２）アで特定した甲第２号証記載の発明を対比すると、少なくとも、本件訂正発明２が「連接板材１４の下方で、垂下板材１２と破風下地固定板材１３との間に破風板のみこみ部Ａを形成し」ているのに対し、甲第２号証記載の発明はこのような特定を有していない点で相違しているが（以下「相違点ア」という。）、当該相違点アは、甲第３号証ないし甲第７号証にも記載されていない。したがって、甲第２号証記載の発明において、上記相違点アに係る本件訂正発明２の構成とすることは、当業者が容易になし得たことではない。
　ｂ　申立人の主張について
　申立人は相違点アに関し以下の主張をしている。
「・図１、図３から、「「前記第１金具６の本体の下方で、前記垂下部７０と前記第１金具６の上端との間に外装材破風板のみこみ部」が形成されている点・・・が看取できる。
　これらの記載によれば、甲第２号証には以下の発明（以下、「甲２発明」という。）が記載されている。・・・
ａ７．　前記第１金具６の本体の下方で、前記垂下部７０と前記第１金具６の上端との間に外装材破風板のみこみ部（第１金具６の上端と板状部材６１との間）を形成し、（段落【００３１】、【図１】、【図３】）」（異議申立書２２頁最下行から２３頁１８行）
「甲２発明では、”この第２金具７の垂下部７０は前記外装材２０の上部まで垂下”しており（段落【００３１】）、又図１や図３からも、第１金具６の上端と板状部材６１との間、すなわち垂下部７０と第１金具６の上端との間に外装材２０が挿入される。よって、「垂下部７０と第１金具６の上端との間」は、「破風版のみこみ部Ａ」に相当する。」（異議申立書２６頁１７から２１行）
　しかし、甲第２号証の図１、３においては、「外装材２０」の「板状部材６１」あるいは「垂下部７０」側の面と反対側の面部分には、「上端」か否かにかかわらず「第１金具６」は図示されておらず、申立人の主張するような、「第１金具６の上端」が、「第１金具６の本体」の「下方」で「垂下部７０」「との間」に「外装材２０」の「のみこみ部」を形成していることは看取できない。この点異議申立書を参照しても、図１、３上でどの部分がどう該当するのか、具体的に指し示されていない。
　また、申立人は、「第１金具６の上端と板状部材６１との間、すなわち垂下部７０と第１金具６の上端との間」と述べており、つまり「板状部材６１」すなわち「垂下部７０」としているが、甲第２号証に「板状部材６１」が、「垂下部７０」と同一あるいは「垂下部７０」の一部の部材である旨の記載はみあたらない。この点異議申立書を参照しても、「板状部材６１」すなわち「垂下部７０」といえる理由の説明がない。
　加えて、申立人は「図１や図３からも、第１金具６の上端と板状部材６１との間、すなわち垂下部７０と第１金具６の上端との間に外装材２０が挿入される。」と主張しているが、図１や図３には「外装材２０」が「挿入」されたものかどうかは図示されておらず、また甲第２号証全体を見ても「外装材２０」が「挿入」されるという記載はみあたらない。
　よって、かかる主張は採用できない。
ｃ　小括
　以上のとおりであるから、本件訂正発明２は、甲第２号証記載の発明、甲第３号証（周知技術）、甲第４号証、甲第５号証（周知技術）、甲第６号証（周知技術）、甲第７号証（周知技術）に基づいて当業者が容易に発明をすることができたものではない。
（イ）　本件発明３について
　ａ　対比・検討
　本件発明３と上記（２）イで特定した甲第６号証記載の発明を対比すると、少なくとも、本件発明３が「捨水切立ち上げ板３２の棟側の端部の高さが屋根面高さ以下であり、捨水切立ち上げ板３２の棟側の端部が止水箱２０の下方に位置する」のに対し、甲第６号証記載の発明は「立ち上がり部（２３）の棟側の端部の高さが屋根面高さ以上であり、立ち上がり部（２３）の棟側の端部が水切り板（２）の上方に位置する」点で相違している（以下「相違点イ」という。）。
　そして、甲第６号証記載の発明における「立上がり部（２３）」は、甲第６号証の段落【００２０】、【００２１】に記載されているように、
「【００２０】・・・水切り板（２）の起立部（７）に形成された通気口（６）から雨水が小屋裏に浸入することを考慮し、捨て水切り板（２２）を用いることができる。
【００２１】捨て水切り板（２２）は、立上がり部（２３）・・・を備える。そして、・・・浸入する雨水が、万一水切り板（２）の起立部（７）に形成された通気口（６）から野地開口（１０）に向かっても、捨て水切り板（２２）の立上がり部（２３）において雨水が受け止められる。」
　ことを目的として設けられる部材であり、そのために「通気口（６）」と対応する高さ、位置としていることは明らかであるから、この棟側の端部を、高さが屋根面高さ以下であり、水切り板（２）の下方に位置を変更することは動機付けがなく、当業者が容易に想到し得ることではない。
　また、甲第３号証ないし甲第５号証、及び甲第７号証をみても、「甲第６号証記載の発明の「立上がり部（２３）」を、棟側の端部の高さが屋根面高さ以下、棟側の端部が「水切り板（２）」の下方に位置するように変更しても上記目的が達成できることを教示するような記載はない。
　したがって、甲第６号証記載の発明において、上記相違点イに係る本件発明３の構成とすることは、当業者が容易になし得たことではない。
　ｂ　申立人の主張について
　申立人は相違点イに関し以下の主張をしている。
「甲第７号証の図１には、周知技術として「入水止め４、４’を野地板Ｂに設置した状態で、立ち壁板４０の棟側端部の高さが屋根面高さ以下であり、前記立ち壁板４０の棟側の前記端部が換気装置１の底板１１の下方に位置する」点が開示されている。又、立ち上がり部（２３）の棟側の端部の高さや位置を、周知技術のように構成することは当業者の通常の創作力の発揮に過ぎない。」（異議申立書２９頁９から１４行）
　しかし、甲第７号証の「立ち壁板４０」は、甲第７号証の段落【００３７】に記載されているように、
「屋根瓦Ｒ１の波起面と換気装置１の底板側との間の隙間は、捨水切り囲み兼用として入水止め４，４’の立ち壁板４０，４０’で覆われているため、当該隙間より入り込む雨水を遮るようにできる」
　ことを目的として設けられる部材であって、すなわち甲第６号証記載の発明における「立上がり部（２３）」とは目的とする雨水を防ぐ対象位置が異なるものであり、そのような甲第７号証の記載に接しても、甲第６号証記載の発明の「立上がり部（２３）」の位置を変更することは示唆されない。よって、申立人の主張は採用できない。
ｃ　小括
　以上のとおりであるから、本件発明３は、甲第６号証記載の発明、甲第４号証、甲第５号証（周知技術）、甲第７号証（周知技術）に基づいて当業者が容易に発明をすることができたものではない。
（ウ）　本件訂正発明４ないし７について
  本件訂正発明４、５は本件訂正発明２あるいは本件発明３を更に減縮したものであり、本件訂正発明６、７は本件訂正発明２を更に減縮したものであるから、上記（ア）、（イ）での検討と同様の理由により、当業者が容易に発明をすることができたものではない。
（エ）　本件訂正発明８について
　本件訂正発明８と甲第２号証記載の発明を対比すると、少なくとも、本件訂正発明８が「連接板材１４の下方で、垂下板材１２と破風下地固定板材１３との間に破風板のみこみ部Ａを形成し」ているのに対し、甲第２号証記載の発明はこのような特定を有していない点で相違しているが、上記（ア）ａ、ｂで述べたように、当該相違点に係る本件訂正発明８の構成とすることは、当業者が容易になし得たことではない。
　よって、本件訂正発明８は、甲第２号証記載の発明、甲第３号証（周知技術）、甲第４号証、甲第５号証（周知技術）、甲第６号証（周知技術）、甲第７号証（周知技術）に基づいて当業者が容易に発明をすることができたものではない。
（オ）　本件訂正発明９及び１０について
　本件訂正発明９及び１０は本件訂正発明８を更に減縮したものであるから、上記（エ）での検討と同様の理由により、当業者が容易に発明をすることができたものではない。
（カ）　小括
　以上のとおり、特許法第２９条第２項（進歩性欠如）に係る異議申立理由によっては、訂正後の請求項２ないし１０に係る特許を取り消すことはできない。
　ウ　特許法第３６条第６項第１号（サポート要件違反）（同法第１１３条第４号）について
　上記（１）ウに摘記したように、サポート要件違反に係る異議申立理由は、本件訂正発明２、８は、「連接板材１４が、垂下板材１２の下端と、破風下地固定板材１３とを連接するものであった場合」を含むということを前提とするものである。
　これに対し本件訂正発明２、８は、上記第３の１にも摘記したように、「連接板材１４の下方で、前記垂下板材１２と前記破風下地固定板材１３との間に破風板のみこみ部Ａを形成」すると特定されているものであるから、「連接板材１４の下方」に「垂下板材１２」が存在するものと解されるので、「連接板材１４が、垂下板材１２の下端と、破風下地固定板材１３とを連接する」場合は含まない
　また、本件訂正発明２、８は、「前記連接板材１４の下方で、前記垂下板材１２と前記破風下地固定板材１３との間に破風板のみこみ部Ａを形成し、」と特定されているところ、本件特許明細書では「破風板のみこみ部」について、「破風板のみこみ部を設けることで、施工時に破風板の厚みを確保するための調整笠木を用いることなく、施工を完了することができる。また、破風板のみこみ部で破風板の位置決めができるため施工性が向上する。」（段落【０００７】）、「破風板７は、破風板のみこみ部Ａに上端部を挿入して設置される。」（段落【００２５】）と記載されているから、「破風板のみこみ部」が破風板の上端部を挿入・位置決めできるものであることが理解できる。そして、そのような「破風板のみこみ部」が形成されることからも、「連接板材１４の下方」に「垂下板材１２」が存在することは明らかである。
　このように、異議申立理由で前提としている構成は本件訂正発明２、８に含まれるものではないことは明らかである。
　以上のように、本件訂正発明２、８、及びそれらを引用する本件訂正発明４〜７、９〜１０の記載が特許法第３６条第６項第１号の要件を満たさないとの主張は理由がない。また外にサポート要件違反となる点も発見しない。
　エ　特許法第３６条第６項第２号（明確性要件違反）（同法第１１３条第４号）について
　上記（１）エに摘記したように、明確性要件違反に係る異議申立理由は、
ａ　「連接板材１４が、垂下板材１２の下端と、破風下地固定板材１３とを連接するものであった場合・・・技術的意味を理解することができない。」
ｂ　「「破風板のみこみ部」は、屋根回りの部材を指す用語としては一般的でないため、当業者が、その発明特定事項の技術的意味を理解することができない。又、本件特許明細書を参酌しても、その”のみこみ”の程度については記載がなく、どの程度の”のみこみ”が必要であるかも不明確である。・・・具体的寸法については言及はない。」
の２つの主張からなっている。
　まず、上記ａについて検討すると、これは本件訂正発明２、８が「連接板材１４が、垂下板材１２の下端と、破風下地固定板材１３とを連接するものであった場合」を含むことを前提とするものである。しかし上記ウで述べたとおり、本件訂正発明２、８は当該場合を含むものではないので上記ａの主張には理由がない。
　次に、上記ｂについて検討すると、本件特許明細書では「破風板のみこみ部」について、「破風板のみこみ部を設けることで、施工時に破風板の厚みを確保するための調整笠木を用いることなく、施工を完了することができる。また、破風板のみこみ部で破風板の位置決めができるため施工性が向上する。」（段落【０００７】）ためのものと説明され、実施例で「連接板材１４の下方で、垂下板材１２と破風下地固定板材１３との間に」（段落【００２０】）形成されるものである状況が「屋根用板金役物の分解斜視図」である図１に示され、また「破風板７は、破風板のみこみ部Ａに上端部を挿入して設置され」（段落【００２５】）ている状況が、「屋根用板金役物を建造物の屋根頂部に設置した状態を示す断面図」（段落【００２４】）である図２から４に示されている。このような本件特許明細書及び図面を参酌すれば「破風板のみこみ部」が破風板の上端部を挿入・位置決めできるものであることが理解でき、よって「当業者が、その発明特定事項の技術的意味を理解することができない」という主張には理由がない。
　加えて、上記ｂで主張される”のみこみ”の程度、寸法が不明という点についても、上記本件特許明細書及び図面の記載を参酌すれば、破風板の上端部を挿入・位置決めできる程度の寸法であることを当業者が理解できるものであるから、具体的寸法が特定されていないとしても明確でないとまではいえない。
　以上のように、本件訂正発明２、８、及びそれらを引用する本件訂正発明４〜７、９〜１０の記載が特許法第３６条第６項第２号の要件を満たさないとの主張は理由がない。また外に明確性要件違反となる点も発見しない。
第４　むすび
　したがって、特許異議の申立ての理由及び証拠によっては、本件請求項２ないし１０に係る特許を取り消すことはできない。
　また、他に本件請求項２ないし１０に係る特許を取り消すべき理由を発見しない。
　さらに、請求項１に係る本件特許異議申立ては、特許法第１２０条の８第１項で準用する同法第１３５条の規定により却下すべきものである。
　よって、結論のとおり決定する。
【異議決定日】
平成２９年８月２９日（２０１７．８．２９）
【訂正の要旨】
審決（決定）の【理由】欄参照。
（５４）【発明の名称】
屋根用板金役物
　【技術分野】
　【０００１】
　本発明は、建造物の屋根頂部に設置する屋根用板金役物に関する。
　【背景技術】
　【０００２】
　例えば特許文献１及び特許文献２に開示されているように、片流れ屋根の屋根頂部に設置する屋根用板金役物が従来から提案されている。
　特許文献１は、建造物の片流れ屋根の頂付近から屋根の傾斜面に沿って軒方向側に延びる通気経路と排出口とを有する換気棟を、取付台と頂部支持台とにより片流れ屋根に取り付けるものである。
　特許文献２は、換気効率と防水性を向上させることができる片流れ屋根の換気構造であり、片流れ屋根の屋根頂部に対応した断面山型を成し、屋根頂部に形成された連通孔を覆うよう設けられ、屋内と屋外とを通気可能とする換気装置において、屋根面側に配される傾斜部と壁面側に配される垂下部により断面山型を成し、傾斜部と垂下部の両方に屋内と屋外とを通気可能とする通気路を備えるものである。
　【先行技術文献】
　【特許文献】
　【０００３】
　【特許文献１】　特開２０１０−２４８８１９号公報
　【特許文献２】　特開２０１１−１２７３５９号公報
　【発明の概要】
　【発明が解決しようとする課題】
　【０００４】
　片流れ屋根は、屋根頂部の勾配が同じではないため、屋根頂部の勾配に対応させた寸法の屋根用板金役物を揃える必要がある。すなわち、屋根頂部が緩勾配である建造物と比較して屋根頂部が急勾配である建造物にあっては、建造物の屋根面に配置される天面板材、及び建造物の壁面に配置される垂下板材を長くする必要がある。
　また、垂下板材は、意匠的に短いことが好まれ、短い垂下板材では調整笠木を用いる必要がある。
　【０００５】
　本発明は、片流れ屋根に対応した屋根用板金役物にあっては、屋根頂部の異なる勾配に対応でき、調整笠木を用いることなく施工ができる屋根用板金役物を提供することを目的とする。
　また本発明は、防水性能の高い止水箱を実現することで、屋根頂部の異なる勾配に対応できる屋根用板金役物を提供することを目的とする。
　【課題を解決するための手段】
　【０００６】
　
請
明の
は
建造物の屋根頂部に設置する屋根用板金役物であって、前記建造物の屋根面に配置される天面板材と、前記建造物の壁面に配置される垂下板材と、前記垂下板材と平行に配置される破風下地固定板材と、前記垂下板材と前記破風下地固定板材とを連接する連接板材と、前記破風下地固定板材を破風下地に固定するビス又は釘等の固定手段とを備え、前記連接板材の下方で、前記垂下板材と前記破風下地固定板材との間に破風板のみこみ部を形成し、前記天面板材と前記垂下板材との角度を前記屋根頂部の傾斜にあわせて変更でき、前記破風板のみこみ部に破風板の上端部が配置され、前記固定手段は、前記破風板を固定せず、
　請求項３記載の本発明の屋根用板金役物は、建造物の屋根面に配置される天面板材を有し、前記建造物の片流れ屋根頂部または下屋根頂部に設置する屋根用板金役物であって、前記天面板材の下面に取り付ける止水箱を備え、前記天面板材には、切り起こしにより形成された天面板用開口部を有し、前記止水箱を、少なくとも前記天面板用開口部の下方に配置される底面板材と、前記底面板材の一端に立設される前面板材と、前記底面板材の他端に立設される後面板材と、前記前面板材の端部と前記後面板材の端部とを連接する側面板材とで構成し、前記後面板材は、前記前面板材と対向する立ち上げ板と、前記立ち上げ板の端部から前記前面板材の方向に折り曲げられて前記天面板材と当接する当接板と、前記当接板の端部から前記底面板材の方向に折り曲げられて前記立ち上げ板と対向する邪魔板とで構成し、前記前面板材には、前記天面板用開口部から進入して前記底面板材に溜まった雨水を流出させる通水孔を形成し、前記立ち上げ板には、止水箱用開口部を形成し、前記天面板用開口部と前記止水箱用開口部とで、前記建造物の屋内と屋外との通気を行い、前記邪魔板が、前記天面板用開口部と前記止水箱用開口部との間に位置し、前記建造物に設置した状態で、前記止水箱の少なくとも一部が野地板の開口端部よりも棟側に位置し、前記野地板の前記開口端部に取り付ける捨水切を備え、前記捨水切を、前記野地板と屋根材との間に配置される捨水切取付板と、前記捨水切取付板の端部から立ち上げた捨水切立ち上げ板とで構成し、前記捨水切を前記野地板に設置した状態で、前記捨水切立ち上げ板の棟側の端部の高さが前記屋根面高さ以下であり、前記捨水切立ち上げ板の棟側の前記端部が前記止水箱の下方に位置することを特徴とする。
　請求項４記載の本発明は、請求項２又は請求項３に記載の屋根用板金役物において、前記天面板材と前記底面板材との寸法を一定に維持する支持材を設け、前記支持材が、前記天面板用開口部と前記止水箱用開口部との間に位置することを特徴とする。
　請求項５記載の本発明は、請求項２から請求項４のいずれかに記載の屋根用板金役物において、前記立ち上げ板に最も近い前記天面板用開口部の端部から、前記止水箱用開口部までの距離を３０ｍｍ〜９０ｍｍとしたことを特徴とする。
　請求項６記載の本発明は、請求項２に記載の屋根用板金役物において、野地板の開口端部に取り付ける捨水切を備え、前記捨水切を、前記野地板と屋根材との間に配置される捨水切取付板と、前記捨水切取付板の端部から立ち上げた捨水切立ち上げ板とで構成し、前記捨水切を前記野地板に設置した状態で、前記捨水切立ち上げ板の高さが前記屋根面高さ以下であることを特徴とする。
　請求項７記載の本発明は、請求項２に記載の屋根用板金役物において、前記建造物に設置した状態で、前記止水箱の少なくとも一部が野地板の開口端部よりも棟側に位置することを特徴とする。
　請求項８記載の本発
明の
は
建造物の屋根頂部に設置する屋根用板金役物であって、前記建造物の屋根面に配置される天面板材と、前記建造物の壁面に配置される垂下板材と、前記垂下板材と平行に配置される破風下地固定板材と、前記垂下板材と前記破風下地固定板材とを連接する連接板材と、前記破風下地固定板材を破風下地に固定するビス又は釘等の固定手段とを備え、前記連接板材の下方で、前記垂下板材と前記破風下地固定板材との間に破風板のみこみ部を形成し、前記天面板材と前記垂下板材との角度を前記屋根頂部の傾斜にあわせて変更でき、前記破風板のみこみ部に破風板の上端部が配置され、前記固定手段は、前記破風板を固定せず、
　請求項９記載の本発明は、請求項８に記載の屋根用板金役物において、前記破風板のみ込み板材は、前記垂下固定板材の上下方向の長さを、前記垂下板材の上下方向の長さよりも１ｍｍ〜５ｍｍ短くしたことを特徴とする。
　請求項１０記載の本発明は、請求項８又は請求項９に記載の屋根用板金役物において、前記破風板のみ込み板材は、前記垂下固定板材の左右方向の長さを、前記垂下板材の左右方向の長さよりも短くしたことを特徴とする。
　【発明の効果】
　【０００７】
　本発明の屋根用板金役物によれば、破風板のみこみ部を設けることで、施工時に破風板の厚みを確保するための調整笠木を用いることなく、施工を完了することができる。また、破風板のみこみ部で破風板の位置決めができるため施工性が向上する。
　また、本発明の屋根用板金役物によれば、天面板用開口部と止水箱用開口部との間に位置する邪魔板によって、止水箱の防水性能を高めることができる。
　【図面の簡単な説明】
　【０００８】
　【図１】　本発明の一実施例による屋根用板金役物の分解斜視図
　【図２】　本実施例による屋根用板金役物を建造物の屋根頂部に設置した状態を示す断面図
　【図３】　本実施例による屋根用板金役物を建造物の屋根頂部に設置した状態を示す断面図
　【図４】　本実施例による屋根用板金役物を建造物の屋根頂部に設置した状態を示す断面図
　【図５】　本発明の他の実施例による屋根用板金役物を建造物の屋根頂部に設置した状態を示す断面図
　【図６】　本発明の更に他の実施例による屋根用板金役物を建造物の下屋根頂部に設置した状態を示す断面図
　【図７】　本発明の更に他の実施例による屋根用板金役物を示す断面図
　【図８】　本実施例による屋根用板金役物を建造物の屋根頂部に設置した状態を示す断面図
　【図９】　本実施例による屋根用板金役物を建造物の屋根頂部に設置した状態を示す断面図
　【図１０】　本実施例による屋根用板金役物を示す斜視図
　【発明を実施するための形態】
　【０００９】
（削除）
　【００１０】
　本発明の第２の実施の形
態に
は
建造物の屋根頂部に設置する屋根用板金役物であって、建造物の屋根面に配置される天面板材と、建造物の壁面に配置される垂下板材と、垂下板材と平行に配置される破風下地固定板材と、垂下板材と破風下地固定板材とを連接する連接板材と、破風下地固定板材を破風下地に固定するビス又は釘等の固定手段とを備え、連接板材の下方で、垂下板材と破風下地固定板材との間に破風板のみこみ部を形成し、天面板材と垂下板材との角度を屋根頂部の傾斜にあわせて変更でき、破風板のみこみ部に破風板の上端部が配置され、固定手段は、破風板を固定せず、
本実施の形態によれば、破風板のみこみ部を設けることで、施工時に破風板の厚みを確保するための調整笠木を用いることなく、施工を完了することができる。また、破風板のみこみ部で破風板の位置決めができるため施工性が向上する。また、屋根頂部が急勾配である建造物にあっては、屋根頂部が緩勾配である建造物と比較して垂下板材を長くしなければならず、意匠面では、垂下板材が短い方が好まれるため、屋根頂部の勾配に対応して異なる長さの垂下板材としなければならなかったが、本実施の形態によれば、破風下地固定板材を破風下地に固定するため、屋根頂部が急勾配である建造物に対しても短い垂下板材で対応でき、その結果として屋根頂部の勾配に対応した長さの垂下板材を揃える必要が無い。また、
　【００１１】
　本発明の第３の実施の形態による屋根用板金役物は、建造物の屋根面に配置される天面板材を有し、建造物の片流れ屋根頂部または下屋根頂部に設置する屋根用板金役物であって、天面板材の下面に取り付ける止水箱を備え、天面板材には、切り起こしにより形成された天面板用開口部を有し、止水箱を、少なくとも天面板用開口部の下方に配置される底面板材と、底面板材の一端に立設される前面板材と、底面板材の他端に立設される後面板材と、前面板材の端部と後面板材の端部とを連接する側面板材とで構成し、後面板材は、前面板材と対向する立ち上げ板と、立ち上げ板の端部から前面板材の方向に折り曲げられて天面板材と当接する当接板と、当接板の端部から底面板材の方向に折り曲げられて立ち上げ板と対向する邪魔板とで構成し、前面板材には、天面板用開口部から進入して底面板材に溜まった雨水を流出させる通水孔を形成し、立ち上げ板には、止水箱用開口部を形成し、天面板用開口部と止水箱用開口部とで、建造物の屋内と屋外との通気を行い、邪魔板が、天面板用開口部と止水箱用開口部との間に位置し、建造物に設置した状態で、止水箱の少なくとも一部が野地板の開口端部よりも棟側に位置し、野地板の開口端部に取り付ける捨水切を備え、捨水切を、野地板と屋根材との間に配置される捨水切取付板と、捨水切取付板の端部から立ち上げた捨水切立ち上げ板とで構成し、捨水切を野地板に設置した状態で、捨水切立ち上げ板の棟側の端部の高さが屋根面高さ以下であり、捨水切立ち上げ板の棟側の端部が止水箱の下方に位置するものである。本実施の形態によれば、天面板用開口部と止水箱用開口部との間に位置する邪魔板によって、止水箱の防水性能を高めることができる。
　【００１２】
　本発明の第４の実施の形態は、第２又は第３の実施の形態による屋根用板金役物において、天面板材と底面板材との寸法を一定に維持する支持材を設け、支持材が、天面板用開口部と止水箱用開口部との間に位置するものである。本実施の形態によれば、天面板用開口部と止水箱用開口部との間に支持材を位置させることで、天面板用開口部と止水箱用開口部との距離を確保して、止水箱の防水性能を高めることができる。
　【００１３】
　本発明の第５の実施の形態は、第２から第４のいずれかの実施の形態による屋根用板金役物において、立ち上げ板に最も近い天面板用開口部の端部から、止水箱用開口部までの距離を３０ｍｍ〜９０ｍｍとしたものである。本実施の形態によれば、立ち上げ板に最も近い天面板用開口部の端部から止水箱用開口部までの距離を３０ｍｍ以上とすることで止水箱の防水性能を確保できる。
　【００１４】
　本発明の第６の実施の形態は、第２の実施の形態による屋根用板金役物であって、野地板の開口端部に取り付ける捨水切を備え、捨水切を、野地板と屋根材との間に配置される捨水切取付板と、捨水切取付板の端部から立ち上げた捨水切立ち上げ板とで構成し、捨水切を野地板に設置した状態で、捨水切立ち上げ板の高さが屋根面高さ以下である。本実施の形態によれば、捨水切を野地板に設置した状態で、捨水切立ち上げ板の高さが屋根面高さ以下であることで、止水箱の少なくとも一部を野地板の開口端部よりも棟側に位置させることができ、異なる勾配の屋根頂部に対して、野地板の開口の位置を変えることなく、更に同一寸法の屋根用板金役物で施工できる。
　【００１５】
　本発明の第７の実施の形態は、第２の実施の形態による屋根用板金役物であって、建造物に設置した状態で、止水箱の少なくとも一部が野地板の開口端部よりも棟側に位置するものである。本実施の形態によれば、野地板の開口端部の位置に制約されることなく止水箱を配置できるため、異なる勾配の屋根頂部に対して、野地板の開口の位置を変えることなく、更に同一寸法の屋根用板金役物で施工できる。
　【００１６】
　本発明の第８の実施の形
態に
は
建造物の屋根頂部に設置する屋根用板金役物であって、建造物の屋根面に配置される天面板材と、建造物の壁面に配置される垂下板材と、垂下板材と平行に配置される破風下地固定板材と、垂下板材と破風下地固定板材とを連接する連接板材と、破風下地固定板材を破風下地に固定するビス又は釘等の固定手段とを備え、連接板材の下方で、垂下板材と破風下地固定板材との間に破風板のみこみ部を形成し、天面板材と垂下板材との角度を屋根頂部の傾斜にあわせて変更でき、破風板のみこみ部に破風板の上端部が配置され、固定手段は、破風板を固定せず、
本実施の形態によれば、破風板のみこみ部を設けることで、施工時に破風板の厚みを確保するための調整笠木を用いることなく、施工を完了することができる。また、破風板のみこみ部で破風板の位置決めができるため施工性が向上する。また、屋根頂部が急勾配である建造物にあっては、屋根頂部が緩勾配である建造物と比較して垂下板材を長くしなければならず、意匠面では、垂下板材が短い方が好まれるため、屋根頂部の勾配に対応して異なる長さの垂下板材としなければならなかったが、本実施の形態によれば、破風下地固定板材を破風下地に固定するため、屋根頂部が急勾配である建造物に対しても短い垂下板材で対応でき、その結果として屋根頂部の勾配に対応した長さの垂下板材を揃える必要が無い。また、
　【００１７】
　本発明の第９の実施の形態は、第８の実施の形態による屋根用板金役物において、破風板のみ込み板材は、垂下固定板材の上下方向の長さを、垂下板材１２の上下方向の長さよりも１ｍｍ〜５ｍｍ短くしたものである。本実施の形態によれば、天面板材及び垂下板材によって破風板のみ込み板材が固定されるので、上からの荷重で破風板のみ込み板材が外れないようにすることができる。
　【００１８】
　本発明の第１０の実施の形態は、第８又は第９の実施の形態による屋根用板金役物において、破風板のみ込み板材は、垂下固定板材の左右方向の長さを、垂下板材の左右方向の長さよりも短くしたものである。本実施の形態によれば、破風板のみ込み板材に用いる材料を減らすことができる。また、破風板のみ込み板材の垂下固定板材を垂下板材の折り返し部に差し込みやすくなる。
　【実施例】
　【００１９】
　以下本発明の一実施例による屋根用板金役物について説明する。
　図１は本実施例による屋根用板金役物の分解斜視図である。
　本実施例による屋根用板金役物は、建造物の屋根面に配置される天面板材１１と、建造物の壁面に配置される垂下板材１２と、垂下板材１２と平行に配置されて破風下地に固定される破風下地固定板材１３と、垂下板材１２と破風下地固定板材１３とを連接する連接板材１４と、天面板材１１の下面に取り付ける止水箱２０と、野地板の開口端部に取り付ける捨水切３０とを備えている。
　【００２０】
　連接板材１４の下方で、垂下板材１２と破風下地固定板材１３との間には、破風板のみこみ部Ａを形成している。
　天面板材１１には、切り起こしにより天面板用開口部１５を形成している。
　また、天面板材１１の一端には、天面板材用前面板材１６と、この天面板材用前面板材１６の端部から延出して折り曲げられた屋根面当接板材１７を形成している。
　垂下板材１２は、天面板材１１の他端に連接し、天面板材用前面板材１６と対向している。少なくとも、天面板材１１、垂下板材１２、天面板材用前面板材１６、及び屋根面当接板材１７は、一枚の板材を折り曲げて形成されている。本実施形態においては、天面板材１１、垂下板材１２、破風下地固定板材１３、連接板材１４、天面板材用前面板材１６、及び屋根面当接板材１７は、一枚の板材を折り曲げて形成されている。
　天面板用開口部１５は、下向きランスによる切り起こしが好ましいが、下向きブリッジによる切り起こしでもよい。
　【００２１】
　止水箱２０は、少なくとも天面板用開口部１５の下方に配置される底面板材２１と、底面板材２１の一端に立設される前面板材２２と、底面板材２１の他端に立設される後面板材２３と、前面板材２２の端部と後面板材２３の端部とを連接する側面板材２４とで構成している。
　底面板材２１には、天面板材１１と底面板材２１との寸法を一定に維持する支持材２５を設けている。
　前面板材２２には、天面板用開口部１５から進入して底面板材２１に溜まった雨水を流出させる通水孔２２ａを形成している。
　後面板材２３は、前面板材２２と対向する立ち上げ板２３ａと、立ち上げ板２３ａの端部から延出し、前面板材２２の方向に折り曲げて天面板材１１と当接する当接板２３ｂと、当接板２３ｂの端部から延出し、底面板材２１の方向に折り曲げて立ち上げ板２３ａと対向する邪魔板２３ｃとで構成している。立ち上げ板２３ａには、止水箱用開口部２３ｄを形成している。
　【００２２】
　天面板用開口部１５と止水箱用開口部２３ｄとで、建造物の屋内と屋外との通気を行う。
　邪魔板２３ｃは、天面板用開口部１５と止水箱用開口部２３ｄとの間に位置する。天面板用開口部１５と止水箱用開口部２３ｄとの間に位置する邪魔板２３ｃによって、止水箱２０の防水性能を高めることができる。
　支持材２５は、天面板用開口部１５と止水箱用開口部２３ｄとの間に位置する。天面板用開口部１５と止水箱用開口部２３ｄとの間に支持材２５を位置させることで、天面板用開口部１５と止水箱用開口部２３ｄとの距離を確保して、止水箱２０の防水性能を高めることができる。
　【００２３】
　捨水切３０は、野地板と屋根材との間に配置される捨水切取付板３１と、捨水切取付板３１の端部から立ち上げた捨水切立ち上げ板３２と、捨水切立ち上げ板３２の端部から延出し、捨水切取付板３１の方向に折り曲げた捨水切折り曲げ板３３とで構成している。
　【００２４】
　図２から図４は、本実施例による屋根用板金役物を建造物の屋根頂部に設置した状態を示す断面図であり、図２は２．５寸勾配、図３は５寸勾配、図４は９寸勾配の屋根頂部に設置した状態を示している。
　本実施例では片流れ屋根の建造物を示している。建造物は、柱１の上端に棟木２を設け、棟木２の上部には垂木３を斜め下方に傾斜して設けている。
　垂木３の上部には野地板４を設け、野地板４の上面には屋根材５が敷設されている。
　棟木２の壁面と垂木３の棟側端面には破風下地６を設けている。破風下地６の屋外側面には、破風板７が配置される。
　開口８は、野地板４の棟側端部の一部に形成されている。
　【００２５】
　天面板材１１は止水箱２０とともに屋根材５の屋根面に配置され、垂下板材１２は建造物の壁面に配置される。破風下地固定板材１３は、破風下地６にビスによって固定される。
　破風下地固定板材１３を破風下地６に固定した後に、破風板７が設置される。
　破風板７は、破風板のみこみ部Ａに上端部を挿入して設置される。
　【００２６】
　本実施例によれば、破風板のみこみ部Ａを設けることで、施工時に破風板７の厚みを確保するための調整笠木を用いることなく、施工を完了することができる。また、破風板のみこみ部Ａで破風板７の位置決めができるため施工性が向上する。
　また、従来では、例えば図４に示すような屋根頂部が急勾配である建造物にあっては、図２に示すような屋根頂部が緩勾配である建造物と比較して垂下板材１２を長くしなければならず、意匠面では、垂下板材１２が短い方が好まれるため、屋根頂部の勾配に対応して異なる長さの垂下板材１２としなければならなかったが、本実施例によれば、破風下地固定板材１３を破風下地６に固定するため、図２から図４に示すように、屋根頂部が急勾配である建造物に対しても短い垂下板材１２で対応でき、その結果として屋根頂部の勾配に対応した長さの垂下板材１２を揃える必要が無い。
　すなわち、図２から図４に示すように、天面板材１１と垂下板材１２との角度を屋根頂部の傾斜にあわせて変更するだけで施工が行える。
　【００２７】
　本実施例による屋根用板金役物は、立ち上げ板２３ａに最も近い天面板用開口部１５の端部から止水箱用開口部２３ｄまでの距離Ｌを３０ｍｍ〜９０ｍｍとしている。天面板材１１の一端から他端までの距離Ｈを１９０ｍｍ、止水箱２０の深さＤを２０ｍｍとして、風速４０ｍ／ｓ、水量２４０ｍｍ／ｈの条件で雨水浸入試験を行った結果、距離Ｌが２８ｍｍでは若干の水の浸入があったが、距離Ｌが４６ｍｍでは水の浸入はなく十分な防水性能が認められた。なお、距離Ｌが９０ｍｍを超えると、止水箱用開口部２３ｄから開口８までの通気路が確保できなくなるため好ましくない。
　従って、立ち上げ板２３ａに最も近い天面板用開口部１５の端部から止水箱用開口部２３ｄまでの距離Ｌを３０ｍｍ以上、好ましくは４６ｍｍ以上とすることで止水箱２０の防水性能を確保できる。
　【００２８】
　捨水切３０は、捨水切取付板３１を野地板４と屋根材５との間に配置して、野地板４の開口端部４ａに取り付ける。捨水切３０を野地板４に設置した状態では、捨水切折り曲げ板３３の高さ、すなわち捨水切立ち上げ板３２の高さを屋根材５の屋根面高さ以下とする。
　このように、捨水切３０を野地板４に設置した状態で、捨水切折り曲げ板３３が屋根面より下方に位置することで、止水箱２０の少なくとも一部を野地板４の開口端部４ａよりも棟側に位置させることができ、異なる勾配の屋根頂部に対して、野地板４の開口８の位置を変えることなく、更に同一寸法の屋根用板金役物で施工できる。
　【００２９】
　本実施例による屋根用板金役物は、建造物に設置した状態で、止水箱２０の少なくとも一部が野地板４の開口端部４ａよりも棟側に位置させることができる。
　本実施例によれば、野地板４の開口端部４ａの位置に制約されることなく止水箱２０を配置できるため、異なる勾配の屋根頂部に対して、野地板４の開口８の位置を変えることなく、更に同一寸法の屋根用板金役物で施工できる。
　【００３０】
　図５は、本発明の他の実施例による屋根用板金役物を建造物の屋根頂部に設置した状態を示す断面図である。
　本実施例は、図１から図４に示す実施例と異なり、止水箱２０を含む換気機能を備えていない屋根用板金役物である。
　本実施例で示すように、換気機能を備えていない屋根用板金役物であっても、建造物の屋根面に配置される天面板材１１と、建造物の壁面に配置される垂下板材１２と、垂下板材１２と平行に配置されて破風下地６に固定される破風下地固定板材１３と、垂下板材１２と破風下地固定板材１３とを連接する連接板材１４とを備え、連接板材１４の下方で、垂下板材１２と破風下地固定板材１３との間に破風板のみこみ部Ａを形成し、破風板のみこみ部Ａに破風板７の上端部を配置することで、施工時に破風板７の厚みを確保するための調整笠木を用いることなく、施工を完了することができる。
　【００３１】
　なお、図１から図４に示す実施例では、片流れ屋根に対応した屋根用板金役物として説明したが、止水箱２０を含む換気機能については、垂下板材１２が無く、一対の天面板材１１を対称に建造物の屋根頂部に設置する屋根用板金役物であっても適用できる。
　【００３２】
　図６は、本発明の更に他の実施例による屋根用板金役物を建造物の下屋根頂部に設置した状態を示す断面図である。なお、上記実施例と同一部材には同一の符号を付けて説明を省略する。
　本実施例では、垂木３の棟側端面には外壁下地材７ｘが配置されている。
　本実施例は、図１から図４に示す実施例と異なり、垂下板材１２を、上方に折り曲げて外壁下地材７ｘの外表面に配置している。垂下板材１２の外表面には、屋根下葺材７ｙや外装材７ｚが更に配置される。
　本実施例で示すように、止水箱２０を含む換気機能を備えた屋根用板金役物は、下屋根頂部にも適用することができる。
　【００３３】
　次に図７〜図１０を用いて、本発明の更に他の実施例による屋根用板金役物を説明する。図７は屋根用板金役物を示す断面図、図８及び図９は屋根用板金役物を建造物の屋根頂部に設置した状態を示す断面図、図１０は屋根用板金役物を示す斜視図である。なお、上記実施例と同一部材には同一の符号を付けて説明を省略する。
　本実施例は、図１に示す実施例と異なり、破風板のみこみ部Ａは、破風板のみ込み板材５０によって形成される。
　図７（ａ）は破風板のみ込み板材５０を垂下板材１２に差し込む前の状態を示している。破風板のみ込み板材５０は、破風下地固定板材１３と、連接板材１４と、連接板材１４を介して破風下地固定板材１３と平行に配置される垂下固定板材５１とからなり、一枚の板材を折り曲げて形成されている。
　天面板材１１、垂下板材１２、天面板材用前面板材１６、及び屋根面当接板材１７は、一枚の板材を折り曲げて形成されている。また、垂下板材１２には、垂下板材１２の下端を内側（建造物の壁面側）に折り返した折り返し部４０が形成されている。折り返し部４０の折り返した面は、折り返す前の面と平行である。折り返し部４０の上下方向の長さαは、垂下板材１２の外側面の上下方向の長さβの約１０〜２０％である。
　また、破風板のみ込み板材５０を垂下板材１２に差し込むことができるように、垂下固定板材５１の上下方向の長さγは、垂下板材１２の外側面の上下方向の長さβよりも短くしている。垂下固定板材５１が短すぎると上からの荷重で破風板のみ込み板材５０が外れてしまうおそれがあるので、垂下固定板材５１の上下方向の長さγは、垂下板材１２の外側面の上下方向の長さβよりも１ｍｍ〜５ｍｍ程度短くすることが好ましく、その範囲の中でも約２ｍｍが最も好ましい。垂下固定板材５１の上下方向の長さγを、垂下板材１２の外側面の上下方向の長さβよりも約２ｍｍ短くすることによって、破風板のみ込み板材５０を垂下板材１２に固定でき、上からの荷重で外れないようにすることができる。
　また、破風下地固定板材１３の上下方向の長さδは、垂下固定板材５１の上下方向の長さγよりも約２０％長くしている。
　また、垂下固定板材５１の上端と破風下地固定板材１３の上端に連接する連接板材１４は、垂下固定板材５１の上端から破風下地固定板材１３の上端に向かうにつれて下方に傾斜するように設けている。
　【００３４】
　上記のように形成された破風板のみ込み板材５０は、図７（ｂ）に示すように、垂下固定板材５１を折り返し部４０に差し込むことによって垂下板材１２と脱着自在に係止される。
　このように、天面板材１１や垂下板材１２などの建造物に配置する部材と、破風板のみ込み部Ａを形成する部材とが分離した２ピースの部材とすることで、図１に示す実施例のような一体構成の場合と比べて、製作性、生産性、施工性、及び加工性が向上する。また、個々の部材の製作が容易となり、製造過程や輸送（梱包）において同一部材を重ねた場合の所要スペースを小さくすることができる。
　【００３５】
　図８（ａ）は、本実施例による屋根用板金役物を建造物の屋根頂部に設置した状態を示す断面図、図８（ｂ）は、本実施例による屋根用板金役物のうち破風板のみ込み板材５０を使用せずに建造物の屋根頂部に設置した状態を示す断面図である。本実施例では片流れ屋根の建造物を示している。
　図８（ａ）に示すように、破風下地固定板材１３は、破風下地６にビス又は釘によって固定される。
また、破風板のみ込み板材５０は垂下板材１２とは別部材として構成されているので、図８（ｂ）に示すように、破風板のみ込み板材５０を折り返し部４０に差し込まない（破風板のみ込み板材５０を使用しない）ようにして、従来の施工と同様に、破風下地６にビス又は釘によって破風板７を固定することもできる。
　【００３６】
　図９は本実施例による屋根用板金役物を建造物の屋根頂部に設置した状態を示す断面図であり、図９（ａ）は２．５寸勾配、図９（ｂ）は９寸勾配の屋根頂部に設置した状態を示している。
　連接板材１４の傾斜は、棟の勾配が異なっても対応できるように、急勾配（９寸勾配）としている。したがって、図９（ａ）に示すような緩勾配（２．５寸勾配）であっても、図９に示すような急勾配（９寸勾配）であっても、同じ破風板のみ込み板材５０で対応することができる。
　【００３７】
　図１０は本実施例による屋根用板金役物を示す斜視図であり、破風板のみ込み部材５０が垂下板材１２に係止された状態を示している。
　破風下地固定板材１３及び垂下固定板材５１の左右方向の長さは、図１０（ａ）に示すように、垂下板材１２の左右方向の長さと同じとしてもよいが、図１０（ｂ）に示すように、垂下板材１２の左右方向の長さよりも短い短尺とし、その短尺の破風板のみ込み板材５０を、破風下地６にビス又は釘によって固定される箇所のみに配置するようにした場合には、破風板のみ込み板材５０に用いる材料を減らすことができる。また、破風板のみ込み板材５０を垂下板材１２に差し込みやすくなり施工性が向上する。
　【産業上の利用可能性】
　【００３８】
　本発明は、屋根頂部の異なる勾配に対応できる。
　【符号の説明】
　【００３９】
　　３　垂木
　　４　野地板
　　４ａ　開口端部
　　５　屋根材
　　６　破風下地
　　７　破風板
　　８　開口
　１１　天面板材
　１２　垂下板材
　１３　破風下地固定板材
　１４　連接板材
　１５　天面板用開口部
　２０　止水箱
　２１　底面板材
　２２　前面板材
　２３　後面板材
　２３ａ　立ち上げ板
　２３ｃ　邪魔板
　２３ｄ　止水箱用開口部
　２４　側面板材
　２５　支持材
　３０　捨水切
　３１　捨水切取付板
　３２　捨水切立ち上げ板
　３３　捨水切折り曲げ板
　４０　折り返し部
　５０　破風板のみ込み板材
　５１　垂下固定板材
　Ａ　　破風板のみこみ部
（５７）【特許請求の範囲】
　【請求項１】
（削除）
　【請求項２】
　
建造物の屋根頂部に設置する屋根用板金役物であって、
前記建造物の屋根面に配置される天面板材１１と、
前記建造物の壁面に配置される垂下板材１２と、
前記垂下板材１２と平行に配置される破風下地固定板材１３と、
前記垂下板材１２と前記破風下地固定板材１３とを連接する連接板材１４と、
前記破風下地固定板材１３を破風下地６に固定するビス又は釘等の固定手段と
を備え、
前記連接板材１４の下方で、前記垂下板材１２と前記破風下地固定板材１３との間に破風板のみこみ部Ａを形成し、
前記天面板材１１と前記垂下板材１２との角度を前記屋根頂部の傾斜にあわせて変更でき、
前記破風板のみこみ部Ａに破風板７の上端部が配置され、
前記固定手段は、前記破風板７を固定せず、
前記天面板材１１の下面に取り付ける止水箱２０を備え、
前記天面板材１１には、切り起こしにより形成された天面板用開口部１５を有し、
前記止水箱２０を、
少なくとも前記天面板用開口部１５の下方に配置される底面板材２１と、
前記底面板材の一端に立設される前面板材２２と、
前記底面板材の他端に立設される後面板材２３と、
前記前面板材の端部と前記後面板材の端部とを連接する側面板材２４と
で構成し、
前記後面板材は、
前記前面板材と対向する立ち上げ板と、
前記立ち上げ板の端部から延出し、前記前面板材の方向に折り曲げて前記天面板材と当接する当接板と、
前記当接板の端部から延出し、前記底面板材の方向に折り曲げて前記立ち上げ板と対向する邪魔板と
で構成し、
前記前面板材には、前記天面板用開口部から進入して前記底面板材に溜まった雨水を流出させる通水孔を形成し、
前記立ち上げ板には、止水箱用開口部２３ｄを形成し、
前記天面板用開口部と前記止水箱用開口部とで、前記建造物の屋内と屋外との通気を行い、
前記邪魔板が、前記天面板用開口部と前記止水箱用開口部との間に位置することを特徴とす
る屋
　【請求項３】
　建造物の屋根面に配置される天面板材１１を有し、前記建造物の片流れ屋根頂部または下屋根頂部に設置する屋根用板金役物であって、
前記天面板材１１の下面に取り付ける止水箱２０を備え、
前記天面板材１１には、切り起こしにより形成された天面板用開口部１５を有し、
前記止水箱２０を、
少なくとも前記天面板用開口部の下方に配置される底面板材２１と、
前記底面板材の一端に立設される前面板材と、
前記底面板材の他端に立設される後面板材と、
前記前面板材の端部と前記後面板材の端部とを連接する側面板材と
で構成し、
前記後面板材は、
前記前面板材と対向する立ち上げ板と、
前記立ち上げ板の端部から前記前面板材の方向に折り曲げられて前記天面板材と当接する当接板と、
前記当接板の端部から前記底面板材の方向に折り曲げられて前記立ち上げ板と対向する邪魔板と
で構成し、
前記前面板材には、前記天面板用開口部から進入して前記底面板材に溜まった雨水を流出させる通水孔を形成し、
前記立ち上げ板には、止水箱用開口部を形成し、
前記天面板用開口部と前記止水箱用開口部とで、前記建造物の屋内と屋外との通気を行い、
前記邪魔板が、前記天面板用開口部と前記止水箱用開口部との間に位置し、
前記建造物に設置した状態で、前記止水箱２０の少なくとも一部が野地板の開口端部４ａよりも棟側に位置し、
前記野地板の前記開口端部４ａに取り付ける捨水切３０を備え、
前記捨水切を、
前記野地板と屋根材との間に配置される捨水切取付板３１と、
前記捨水切取付板３１の端部から立ち上げた捨水切立ち上げ板３２と
で構成し、
前記捨水切３０を前記野地板に設置した状態で、前記捨水切立ち上げ板３２の棟側の端部の高さが前記屋根面高さ以下であり、前記捨水切立ち上げ板３２の棟側の前記端部が前記止水箱２０の下方に位置することを特徴とする屋根用板金役物。
　【請求項４】
　前記天面板材と前記底面板材との寸法を一定に維持する支持材２５を設け、
前記支持材２５が、前記天面板用開口部と前記止水箱用開口部との間に位置することを特徴とする請求項２又は請求項３に記載の屋根用板金役物。
　【請求項５】
　前記立ち上げ板に最も近い前記天面板用開口部の端部から、前記止水箱用開口部までの距離を３０ｍｍ〜９０ｍｍとしたことを特徴とする請求項２から請求項４のいずれかに記載の屋根用板金役物。
　【請求項６】
　野地板の開口端部に取り付ける捨水切３０を備え、
前記捨水切を、
前記野地板と屋根材との間に配置される捨水切取付板３１と、
前記捨水切取付板の端部から立ち上げた捨水切立ち上げ板３２と
で構成し、
前記捨水切３０を前記野地板に設置した状態で、前記捨水切立ち上げ板の高さが前記屋根面高さ以下であることを特徴とする請求項２に記載の屋根用板金役物。
　【請求項７】
　前記建造物に設置した状態で、前記止水箱の少なくとも一部が野地板の開口端部４ａよりも棟側に位置することを特徴とする請求項２に記載の屋根用板金役物。
　【請求項８】
　
建造物の屋根頂部に設置する屋根用板金役物であって、
前記建造物の屋根面に配置される天面板材１１と、
前記建造物の壁面に配置される垂下板材１２と、
前記垂下板材１２と平行に配置される破風下地固定板材１３と、
前記垂下板材１２と前記破風下地固定板材１３とを連接する連接板材１４と、
前記破風下地固定板材１３を破風下地６に固定するビス又は釘等の固定手段と
を備え、
前記連接板材１４の下方で、前記垂下板材１２と前記破風下地固定板材１３との間に破風板のみこみ部Ａを形成し、
前記天面板材１１と前記垂下板材１２との角度を前記屋根頂部の傾斜にあわせて変更でき、
前記破風板のみこみ部Ａに破風板７の上端部が配置され、
前記固定手段は、前記破風板７を固定せず、
前記垂下板材１２には、前記垂下板材１２の下端を前記建造物の前記壁面側に折り返した折り返し部を形成し、
前記破風板のみこみ部Ａは、前記破風下地固定板材１３と、前記連接板材１４と、前記連接板材１４を介して前記破風下地固定板材１３と平行に配置される垂下固定板材とからなる破風板のみ込み板材によって形成し、
前記破風板のみ込み板材は、前記垂下固定板材を前記折り返し部に差し込むことによって前記垂下板材と脱着自在に係止されることを特徴とす
る屋
　【請求項９】
　前記破風板のみ込み板材は、前記垂下固定板材の上下方向の長さを、前記垂下板材１２の上下方向の長さよりも１ｍｍ〜５ｍｍ短くしたことを特徴とする請求項８に記載の屋根用板金役物。
　【請求項１０】
　前記破風板のみ込み板材は、前記垂下固定板材の左右方向の長さを、前記垂下板材１２の左右方向の長さよりも短くしたことを特徴とする請求項８又は請求項９に記載の屋根用板金役物。